(57)【要約】      （修正有）【課題】公園や室内等の椅子を設置する場所で容易に組立可能な組立式椅子を提供する。【解決手段】下端略中央から中心方向に向かって形成した第１溝と前端略中央から中方向に向かって形成した第２溝７および後端略中央から中心方向に向かって形成した第３溝８を有しかつ多数個を列設して腰掛け形態となる短板５を設け、該短板５の第１溝に挿置しかつ上端部分に形成した櫛歯部および下端部分に形成した本体部でなる板状第１竜骨１と、該短板５の第２溝７に挿置しかつ上端部分に形成した櫛歯部１０および下端部分に形成した本体部１１でなる板状第２竜骨９と、該短板５の第３溝８に挿置しかつ上端部分に形成した櫛歯部および下端部分に形成した本体部でなる板状第３竜骨１２とを設ける構成とした。【選択図】図２
0003228238.tif 000002
【実用新案登録請求の範囲】
【請求項１】
下端略中央から中心方向に向かって形成した第１溝、前端略中央から中心方向に向かって形成した第２溝および後端略中央から中心方向に向かって形成した第３溝を有しかつ多数個を列設して腰掛け形態となる短板と、該短板の第１溝に挿置しかつ上端部分に形成した櫛歯部および下端部分に形成した本体部でなる板状第１竜骨と、該短板の第２溝に挿置しかつ上端部分に形成した櫛歯部および下端部分に形成した本体部でなる板状第２竜骨と、該短板の第３溝に挿置しかつ上端部分に形成した櫛歯部および下端部分に形成した本体部でなる板状第３竜骨とでなることを特徴とする組立式椅子。
【考案の詳細な説明】
【技術分野】
【０００１】本考案は、例えば、公園や室内等の椅子を設置する場所で容易に組立可能にする組立式椅子に関する。
【背景技術】
【０００２】この種、従来の椅子又はチェアは製造工場や売場等でその脚部と腰掛け部予め固定して製品として完成した状態にしている。そして顧客の求めに応じて完成した製品を現地である顧客の室内や設置する公園等まで運搬して設置するものであった。
【考案の概要】
【考案が解決しようとする課題】
【０００３】従来の椅子又はチェアは叙上した構成であるので現地に椅子等を搬送するための作業員の工数が増大すると共に比較的大型の運搬車両を必要とし搬送費用が増大するものであった。設置した椅子等を長年月使用すること等により撤収の必要がありかかる場合も同様に撤収搬送費用が増大するものであった。また、現地での椅子又はチェアのデザイン変更が不可能であるという課題もあった。
【課題を解決するための手段】
【０００４】本考案は、かかる問題点を解決すべく創作したものである。即ち、下端略中央から中心方向に向かって形成した第１溝、前端略中央から中方向に向かって形成した第２溝および後端略中央から中心方向に向かって形成した第３溝を有しかつ多数個を列設して腰掛け形態となる短板と、該短板の第１溝に挿置しかつ上端部分に形成した櫛歯部および下端部分に形成した本体部でなる板状第１竜骨と、該短板の第２溝に挿置しかつ上端部分に形成した櫛歯部および下端部分に形成した本体部でなる板状第２竜骨と、該短板の第３溝に挿置しかつ上端部分に形成した櫛歯部および下端部分に形成した本体部でなる板状第３竜骨とでなることを特徴とする組立式椅子を提供して上述の課題を解決するものである。
【考案の効果】
【０００５】本考案によれば例えば、椅子等を構成する部材がすべて板状でなり搬送しやすく現地に搬送し組み立てるための作業員の工数が少なく比較的大型の運搬車両を必要としないので搬送費用が増大しないものであった。設置した椅子等を長年月使用すること等により撤収や取替えの必要がありかかる場合も同様に現地で容易に撤収．取替えが可能であるという効果があった。また、変形した椅子等を構成する部材を用意することにより現地での椅子又はチェアのデザイン変更が可能であるという効果があった。
【図面の簡単な説明】
【０００６】
【図１】本考案の好適な実施の形態にかかる図面であって、〔１〕は板状第１竜骨を示す斜視図、〔２〕は短板を示す斜視図、〔３〕は短板と板状第１竜骨を組み立てた斜視図である。
【図２】本考案の好適な実施の形態にかかる図面であって、〔１〕は板状第２竜骨を示す斜視図、〔２〕は板状第３竜骨を示す斜視図、〔３〕は板状第１、２、３竜骨を組み立てた斜視図である。
【考案を実施するための形態】
【０００７】以下、本考案を実施するための形態について詳細に説明する。
１は板状第１竜骨であり、例えば全体が四角形状でなり、その上端部分に形成した櫛歯部２および下端部分に形成した本体部３を有する。そして板状第１竜骨は木材例えば松、杉、檜木、西川材等で成形する。樹脂材料で成形することもできる。この材料は後述する短板５など本考案の組立て式椅子すべてに適用する。櫛歯部２は右端から左端まで適宜間隔の切り溝４を入れてなる。椅子を組み立てる際、この切り溝４内に短板５を順次差し込み列設して図１〔３〕に示す腰掛け形態になる。短板５は図１〔２〕に示すように下端略中央から中心方向に向かって形成した第１溝６と前端略中央から中心方向に向かって形成した第２溝７および後端略中央から中心方向に向かって形成した第３溝８を有している。短板５の上端部分は腰掛け形態にするためそれぞれ別異の形状にする。つまり図１〔３〕に示すようにフラット部分Ａ，先鋭部分Ｂ，窪み部分Ｃを成形する。
【０００８】次に短板５のすべての第１溝６に図１〔３〕に示すように板状第１竜骨１を差し込んだ後図２〔１〕に示すように板状第２竜骨９を短板５の第２溝７に差し込む。板状第２竜骨９は板状第１竜骨１と同様にその上端部分に形成した櫛歯部１０および下端部分に形成した本体部１１を有する。そして下端部分に形成した本体部１１の端面形状は短板５を組み込んだ形状に適合させ図示するように例えば波形にする。そして、図２〔２〕に示すように板状第３竜骨１２を短板５の第３溝８に差し込む。板状第３竜骨１２の本体部の端面形状は短板５を組み込んだ形状に適合させ図示するように例えば板状第２竜骨９と同様に波形にする。ここで短板５の第１溝６ないし第３溝８の幅および上述した櫛歯部の溝幅は板状第１竜骨１、板状第２竜骨９及び板状第３竜骨１２の厚さより若干広く設定し、板状第１乃至３竜骨を短板５に挿入し易く構成している。
【実施例１】
【０００９】更に詳しく説明すると本考案の組立式椅子の腰掛け部分をすべて平坦つまりフラットにする場合は、短板５は図１〔２〕に示すものすべてを同一形状にする。図１〔３〕ないし図２〔３〕の示すものでは、多数個の短板５はそれぞれ前端から後端までの幅長や上端から下端までの高さを順次相違させ組み合わせることにより椅子が完成する。このように各種の短板５を用意することにより椅子やチェアのデザインを好みに応じて設定することができる。また、図２〔３〕示すように組立てを完了した椅子の右端又は左端つまり短板５をビス等の締め付け部材１３で締め付け処理してもよい。このようにすると組立てた椅子が崩れる恐れが全くない。
【実施例２】
【００１０】前記第２溝７およびは第３溝８はそれぞれ深奥部を水平位置から高くかつ開口部を水平位置から低く設定する。そのように構成して第２溝７および第３溝８内に板状第２竜骨９と板状第３竜骨１２を差し込み配置する。そこで板状第２竜骨９と板状第３竜骨１２は椅子の外側に向かい低く傾斜することとなる。従って異物などが落下したときその取り出しが容易になる。
【産業上利用可能性】
【００１１】本考案は構成部品がすべて板材であり製作が容易で量産に好適であり家屋ばかりか公園や施設にも設置．撤収が容易でありその利用範囲は広い
【符号の説明】
【００１２】１  板状第１竜骨、  ２  櫛歯部、  ３  本体部、  ４  切り溝、  ５  短板、  ６  第１溝、  ７  第２溝、  ８  第３溝、  ９  板状第２竜骨、  １０  櫛歯部、  １１  本体部、  １２  板状第３竜骨、  １３  締め付け部材、
【図１】
0003228238.tif 000003
【図２】
0003228238.tif 000004